(57)【要約】【課題】魚の当たりに関して高い感度が得られる軽量な釣糸ガイドを提供する。【解決手段】本発明に係る釣糸ガイド１は、強化繊維に合成樹脂を含浸して成る繊維強化樹脂層によって形成されるフレーム３を有する。フレーム３は、釣糸が挿通されるガイドリング９が取り付けられるリング保持部Ｈと、フレーム３に貫通して形成されるとともに釣竿の穂先竿杆の先端に保持固定されるようになっている保持穴８２と、リング保持部Ｈから延びるとともに竿杆に固定されるようになっている固定部６ａが先端に形成されて成る支脚部６ｂ，６ｂとを有する【選択図】図１
2015065911.tif 000002
【特許請求の範囲】
【請求項１】
強化繊維に合成樹脂を含浸して成る繊維強化樹脂層によって形成されるフレームを有する釣糸ガイドであって、
前記フレームは、釣糸が挿通されるガイドリングが取り付けられるリング保持部と、前記フレームに貫通して形成されるとともに釣竿の穂先竿杆の先端に保持固定されるようになっている保持穴と、前記リング保持部から延びるとともに竿杆に固定されるようになっている固定部が先端に形成されて成る支脚部とを有することを特徴とする釣糸ガイド。
【請求項２】
前記繊維強化樹脂層が前記リング保持部の少なくとも一部から前記支脚部の少なくとも一部へとわたって連続していることを特徴とする請求項１に記載の釣糸ガイド。
【請求項３】
前記支脚部は、前記リング保持部の後面から突設する分岐部が形成されていることを特徴とする請求項１または請求項２に記載の釣糸ガイド。
【請求項４】
前記支脚部は、前記リング保持部の左右方向の幅と前後方向の幅の厚みのうち少なくとも寸法の大きい側から分岐部が形成されていることを特徴とする請求項１ないし請求項３のいずれか１項に記載の釣糸ガイド。
【請求項５】
前記フレームには、前記リング保持部から前記支脚部にわたって少なくとも１つの屈曲部が形成されることを特徴とする請求項１ないし請求項４のいずれか１項に記載の釣糸ガイド。
【発明の詳細な説明】
【技術分野】
【０００１】
本発明は、釣竿に装着されて釣糸を案内する釣糸ガイドに関し、詳細には、釣竿の穂先竿の先端に取り付けられるトップガイドの改良に関する。
【背景技術】
【０００２】
従来から、釣竿に装着されて釣糸を案内する釣糸ガイドは、一般に、釣竿の外周面に直接に或いは支持脚を介して装着されるフレームと、フレームに止着されて実際に釣糸が挿通されるガイドリングとを備えた構成となっている。とりわけ、釣竿の穂先竿杆の先端に取り付けられる釣糸ガイドとしてのトップガイドは、前記フレーム側から突出するように延びて穂先竿杆の先端が挿入される竿挿入パイプを備えており、この竿挿入パイプを介して釣竿に例えば接着固定により装着されるようになっている（例えば、特許文献１参照）。
【先行技術文献】
【特許文献】
【０００３】
【特許文献１】特開平１０−２１０８９４号
【発明の概要】
【発明が解決しようとする課題】
【０００４】
しかしながら、特許文献１等に開示されるような従来のトップガイドは、フレームから延びる前記竿挿入パイプがトップガイド全体の重量を大きく押し上げており、釣糸ガイドの軽量化を妨げている。また、前記竿挿入パイプを介して釣竿とフレームとが間接的に接続されるため、魚の当たりを竿の手元で感知する際の感度が鈍くなる可能性も指摘されている。
【０００５】
本発明は、上記した問題に着目してなされたものであり、魚の当たりに関して高い感度が得られる軽量な釣糸ガイドを提供することを目的とする。
【課題を解決するための手段】
【０００６】
上記した目的を達成するために、本発明は、強化繊維に合成樹脂を含浸して成る繊維強化樹脂層によって形成されるフレームを有する釣糸ガイドであって、前記フレームは、釣糸が挿通されるガイドリングが取り付けられるリング保持部と、前記フレームに貫通して形成されるとともに釣竿の穂先竿杆の先端に保持固定されるようになっている保持穴と、前記リング保持部から延びるとともに竿杆に固定されるようになっている固定部が先端に形成されて成る支脚部とを有することを特徴とする。
【０００７】
上記構成の釣糸ガイドでは、フレームが該フレームから延びる竿挿入パイプを介して間接的に穂先竿杆の先端に保持固定されるのではなく、フレームがその保持穴によって直接に穂先竿杆の先端に保持固定されるようになっている。すなわち、上記構成の釣糸ガイドでは、従来の竿挿入パイプが排除されているため、釣糸ガイド全体の重量を減少させることができ、釣糸ガイドの軽量化を飛躍的に促進させることができる。また、釣糸ガイドのフレームが竿挿入パイプを介すことなく直接に釣竿と接続されるため、魚の当たりを竿の手元で感知する際の感度を大きく高めることができる。
【０００８】
また、上記構成の釣糸ガイドは、そのフレームが、繊維強化樹脂により構成されているため、軽量化が図れるとともに撓み性の向上が図れ、このような構造の釣糸ガイドを装着した釣竿は、本来の特性を発揮し易くなる。なお、繊維強化樹脂層がリング保持部の少なくとも一部から支脚部の少なくとも一部へとわたって連続していることが好ましい。そのようにすると、釣糸ガイドの高い強度を実現できる。
【発明の効果】
【０００９】
本発明によれば、魚の当たりに関して高い感度が得られる軽量な釣糸ガイドを提供できる。
【図面の簡単な説明】
【００１０】
【図１】本発明の一実施形態に係る釣糸ガイドの斜視図である。
【図２】図１の釣糸ガイドを後側から見た正面図である。
【図３】図１の釣糸ガイドの側面図である。
【図４】図１の釣糸ガイドのフレームに沿った縦断面図である。
【図５】図１のＡ−Ａ線に沿った断面図である。
【図６】図１に示す釣糸ガイドを構成するフレームを成形するための金型の構成例（積層プリプレグシートを挟み込んだ状態）を示す断面図である。
【図７】図６の金型で成形された板状体からフレームを切り出す状態を示す斜視図である。
【図８】変形例に係る釣糸ガイドのフレームに沿った断面図である。
【図９】図８に示す釣糸ガイドを構成するフレームを成形するための金型の構成例（積層プリプレグシートを挟み込んだ状態）を示す断面図である。
【発明を実施するための形態】
【００１１】
以下、図面を参照しながら、本発明に係る釣糸ガイド及びその製造方法の実施形態について説明する。
最初に、図１〜図５を参照して、本発明に係る釣糸ガイドの一実施形態について説明する。これらの図において、図１は釣糸ガイドの斜視図、図２は釣糸ガイドを後側から見た正面図、図３は釣糸ガイドの側面図、図４はフレームに沿った釣糸ガイドの縦断面図、そして、図５は、図１のＡ−Ａ線に沿った断面図である。なお、図１および図３の矢印Ｄ方向は、釣糸ガイドが釣竿の穂先竿杆に装着された際に、元竿側から見る方向であり、釣竿の軸長方向と一致している。以下において、前側（前方側）とは穂先側を意味し、後側（後方側）とは基端側（元竿側）を意味するものとする。
【００１２】
釣糸ガイド１は、強化繊維に合成樹脂を含浸して成る繊維強化樹脂層の積層材によって形成されるフレーム３を備えている。ここで、「繊維強化樹脂層」とは、シート状のプリプレグを重ねて積層するほか、テープ状や糸状にしたものを重ねたり、束ねたり、テープや糸状やシート状のプリプレグを組み合わせたりした積層であっても良く、層の厚さや幅や断面形態等は釣糸ガイド１の各部分の形状等に合わせて任意に積層することができる。このようなフレーム３は、後述するように繊維強化プリプレグを板状に成形したものをフレーム形状に切り出しても良く、あるいは、金型の釣糸ガイドを形成する空間に繊維強化樹脂を配置して釣糸ガイド１を成形しても良く（この場合には、切り出しが不要となる）、任意の方法で製造できる。しかしながら、本実施形態では、便宜上、強化繊維に合成樹脂を含浸した繊維強化プリプレグ（以下、プリプレグと称する）を前後方向に積層した複数の繊維強化樹脂層を有する積層材によってフレーム３が形成されているものとして話を進める（プリプレグの構成、積層態様、および、フレームの詳細な製造方法については後述する）。
【００１３】
フレーム３は、前方側の繊維強化樹脂層５と後方側の繊維強化樹脂層６とによって構成されており、それぞれの繊維強化樹脂層は、後述するように、複数枚のプリプレグを積層して金型によって押圧成型することでさらにプリプレグごとに形成された複数の繊維強化樹脂層が積層されて一体化されている。この場合、前方側の繊維強化樹脂層５と後方側の繊維強化樹脂層６は、後述する当接部８（８ａ,８ｂ）の軸線方向（図１の矢印Ｄ方向；前後方向）における厚みよりも左右方向の幅が大きい板状に形成されている。
【００１４】
本実施形態では、前方側の繊維強化樹脂層５は、略円環形状の上方側の当接部８ａと、図示しない釣竿の穂先竿杆に接着等により保持固定されるようになっている保持穴８２を有する竿保持部８０とを形成している。また、釣糸ガイド１が取り付けられる穂先竿杆の外径にもよるが、本実施形態では、竿保持部８０の左右方向の幅が当接部８ａのそれよりも狭く設定され、また、竿保持部８０と当接部８ａとが略同一平面内に形成されている。なお、保持穴８２は、例えば、後述するようにフレーム３が成形された後にフレーム３に貫通して形成される。
【００１５】
また、後方側の繊維強化樹脂層６は、当接部８ａと当接する上方側の略半円環形状の当接部８ｂと、当接部８ｂからＤ方向と略直交する方向で繊維強化樹脂層５から次第に離反するように傾斜して延びる一対の支脚部６ｂと、これらの支脚部６ｂの下端でこれらを一体化するように後方側へ向けて屈曲して延びる釣竿固定部６ａとを形成している。
【００１６】
そして、本実施形態の釣糸ガイド１は、前方側の繊維強化樹脂層５を構成する当接部８ａと後方側の繊維強化樹脂層６を構成する当接部８ｂとが向かい合わさった状態となっており、これらの当接部８ａ，８ｂがリング保持部Ｈを形成し、このリング保持部Ｈに釣糸が挿通されるガイドリング９が設けられる。また、この場合、各支脚部６ｂは、リング保持部Ｈの上下方向の略中間位置でリング保持部Ｈの後面ｈから該後面ｈの幅Ｗと同じ幅Ｗで突設された状態となっている。すなわち、本実施形態では、リング保持部Ｈの左右方向の幅の厚みＷが前後方向の幅の厚みＷ’よりも大きくなっており、その条件下で、支脚部６ｂには、リング保持部Ｈの後面ｈから突設する分岐部６ｇ（リング保持部Ｈから分岐する部分）が形成されている。つまり、分岐部６ｇは、リング保持部Ｈの左右方向の幅と前後方向の幅の厚みのうち寸法の大きい側（厚みの大きいリング保持部Ｈの左右方向の幅）から形成されている。したがって、リング保持部Ｈの左右方向の幅の厚みＷが前後方向の幅の厚みＷ’よりも小さい場合（本実施形態と逆の場合）には、分岐部６ｇがリング保持部Ｈの側面から突設する。
【００１７】
このように、リング保持部Ｈの後面ｈから分岐部６ｇを突出させると、強化繊維の方向を安定化でき、強度向上・安定化が可能となり、また、左右幅が大きくなることを防止でき、小型化、軽量化が可能になる。更に、釣糸の引っ掛かりを防止できるようになる。また、このように、リング保持部Ｈの左右方向の幅と前後方向の幅の厚みのうち少なくとも寸法の大きい側から支脚部６ｂの分岐部６ｇが形成されていると、リング保持部Ｈと支脚部６ｂとの一体化範囲を拡大可能となり、強度の向上、小型化、および、軽量化を図ることができる。なお、本実施形態において、各支脚部６ｂは、リング保持部Ｈの後面ｈから該後面ｈの幅Ｗと同じ幅Ｗで突設されているが、支脚部６ｂの幅は、分岐部６ｇの部位で後面ｈの幅Ｗと同じであれば良く、分岐部６ｇを過ぎた位置から固定部６ａに至るまでの幅は、分岐部よりも広く形成したり、小さく形成したり、方向を調整したりすることが可能である。
【００１８】
また、本実施形態において、当接部８ａ，８ｂには、それぞれガイドリング９を保持するための開口（貫通孔）５ｃ，６ｃが形成されている。これらの開口５ｃ，６ｃは、前方側の繊維強化樹脂層５および後方側の繊維強化樹脂層６の上方領域同士が向かい合わさった状態で一体化された後、切削等によって形成される。
【００１９】
釣竿固定部６ａは、釣竿（穂先竿杆）の表面（上面または下面；本実施形態では上面）に固定される部位（足部とも称される）であり、釣糸ガイド１の後方向に延びる板状片でその裏側の当接面６ｄが釣竿（穂先竿杆）の表面に釣竿の長手方向に合わせて載置された状態で、例えば糸を巻き付けた後にその外側に接着剤を塗布することによって固定される。なお、固定部６ａについては、様々な形状をとることができる。
【００２０】
当接部８ａ，８ｂに形成される開口５ｃ，６ｃは、同一の形状であり、全体として略円形の外形状を備えている。これらの開口５ｃ，６ｃに嵌入されるガイドリング９は、リング状に構成され、その内周面である釣糸案内面９ａ部分での摺動抵抗が小さい部材、例えば、チタン、アルミ、ＳＵＳ、セラミックス等によって形成されている。このガイドリング９は、フレーム３が前記プリプレグによって一体形成された後、当接部８ａ，８ｂに形成された開口５ｃ，６ｃに対して嵌入、固定される。
【００２１】
また、前方側の繊維強化樹脂層５および後方側の繊維強化樹脂層６には、少なくとも１つ以上の屈曲部を形成しておくことが好ましい。本実施形態においては、後方側の繊維強化樹脂層６に、支脚部６ｂの両側で釣竿固定部６ａとの境界部分および当接部８ｂとの境界部分（前記突設部分）にそれぞれ、第１屈曲部６ｅと、第１屈曲部よりも緩やかに屈曲した第２屈曲部６ｆが形成されている。
【００２２】
フレーム３に上記したような屈曲部６ｅ，６ｆを形成する場合、緩やかに屈曲する第２屈曲部６ｆを形成しておくことで、フレーム全体として、屈曲させることによる曲げ角度を段階的に設定することが可能となり、応力集中を分散させて強度を向上することが可能となる。特に、フレーム３に複数の屈曲部を形成するのであれば、釣竿固定部６ａと支脚部６ｂとの間の境界部分またはその近傍に形成される屈曲部（図において第１屈曲部６ｅが対応する）よりも、当接部８ｂ側に形成される屈曲部（図において第２屈曲部６ｆが対応する）の屈曲角度（屈曲した部分の前後において、接線同士が交差する角度）を小さく設定することが好ましい。
【００２３】
このように、当接部８ｂ側の屈曲部の屈曲角度を小さく設定しておくことで、釣糸が掛かった場合など、負荷が大きくなる部分の応力集中を緩和することができ、強度の安定化が図れる。
【００２４】
なお、上記した支脚部６ｂについては、２つの屈曲部間は、図に示すように直線状に形成されていたが、２つの屈曲部間を、所定の曲面を有する湾曲状に形成しても良いし、支脚部全体を湾曲面で構成しても良い。
【００２５】
上記したようなフレーム３に形成される屈曲部６ｅ，６ｆは、応力集中して破損等し易い領域となっているが、後述するような製造方法およびプリプレグの構成を用いることで、比強度、及び比剛性の向上が図られている。なお、屈曲部に補強層を設け、釣糸による負荷が作用しても損傷などがし難いように構成しても良い。ここで、補強層とは、釣糸ガイドを釣竿に取り付けたときに、フレーム３のその前後方向の曲げ剛性を高め、負荷により屈曲部が撓んだときの曲げ角度の変化が小さくなるよう補強する層であり、積層状態の繊維強化樹脂層を構成している複数のプリプレグの内、いずれかのプリプレグに、釣竿から立ち上がる方向に沿って延びる強化繊維が含まれた構成となっていれば良い。
【００２６】
具体的に、複数枚のプリプレグは、例えば、図５に示されるように、釣竿から立ち上がる方向（釣竿の軸長方向となる）に沿って強化繊維を引き揃えた軸長方向繊維樹脂層２１と、釣竿の軸長方向に対して所定の角度を有する交差方向に強化繊維を引き揃えた斜向繊維樹脂層２２ａ，２２ｂと、強化繊維を編成した織布層２３とを有している。これらの繊維強化樹脂の繊維（繊維強化樹脂層）は、リング保持部Ｈの少なくとも一部から支脚部６ｂの少なくとも一部へとわたって連続している。特に本実施形態では、図４に明確に示されるように、後方側の繊維強化樹脂層６の繊維が（繊維強化樹脂層６自体も）釣竿固定部６ａから当接部８ｂへわたって（全長にわたって）連続して延びており、一方、前方側の繊維強化樹脂層５の繊維も（繊維強化樹脂層５自体も）全長にわたって連続して延びている。なお、図５では、後方側の繊維強化樹脂層６のプリプレグの積層構造（積層材６Ａ）を示しているが、前方側の繊維強化樹脂層５（積層材５Ａ）も同様な積層構造とされる。また、簡単のため、図５における７つの層は、図４および図６では４層でそれぞれ描かれている。
【００２７】
本実施形態では、フレーム３の厚さの中間位置となる中立軸エリア（図５において、中立軸をＸで示す）に、強化繊維を軸長方向に引き揃えたプリプレグによって軸長方向繊維樹脂層２１が配設され、その外側（両側）に、軸長方向に対して所定の角度（傾斜角度は任意であるが１５〜７５度が好ましく、より好ましくは３０〜６０度）に強化繊維を引き揃えたプリプレグによって斜向繊維樹脂層２２ａ，２２ｂが配設され、さらに、最外層（両側の全面となっているが部分的に最外となる領域でも良い）に強化繊維を編成したプリプレグによって織布層２３が配設されている。なお、軸長方向繊維樹脂層２１は、複数層（１層〜４層）あっても良い。また、斜向繊維樹脂層２２ａ，２２ｂについては、それぞれの層における強化繊維の指向方向は異なっていても良い。
【００２８】
このように、繊維強化樹脂製の釣糸ガイド１を形成するに際しては、フレーム自体を正面視または平面視した際、少なくとも三方向に強化繊維が指向した状態となるようなプリプレグを選択し、積層することが好ましい。すなわち、強化繊維の指向方向を三方向以上とすることで、効率良く、軽量で強度的に優れた釣糸ガイドを形成することが可能となる。また、上記した構成のように、フレーム３の中間層領域に軸長方向繊維樹脂層２１を配設することで、フレーム３に対し、軸長方向に沿って釣糸の張力等によって撓み力が作用しても、その方向の比剛性を、軽量化を図りながら効率良く高めておくことが可能となる。
【００２９】
さらに、上記したプリプレグの配置構成のように、フレーム３の最外層には、織布層２３を配設することが好ましい。これは、フレーム３の表面は、他物が当たり易く、剥離などし易い部分であること、および、実釣時において、釣糸の張力によってフレームが撓む等、フレーム端部から強化繊維が剥離したり、破損する可能性があることから、この表面領域に強化繊維が編成された織布層を配設しておくことで、強化繊維の裂けや剥離が効果的に防止でき、強度の向上、及び安定化が図れるようになる。
【００３０】
このような織布層２３を配設することで、より確実に強化繊維が剥離、破損することを防止でき、強度の向上、及び安定化が図れるようになる。また、屈曲部６ｅ，６ｆについても相対的に強化することができ、軽量で強度バランスに優れた釣糸ガイドとすることが可能となる。また、上記した織布層２３の網目の幅については、釣竿固定部６ａや当接部８ａ，８ｂの領域において、それらの部分での最小幅よりも小さくすることが好ましい。
【００３１】
次に、上記したような形態のフレーム３を形成する方法について、図６および図７を参照しながら説明する。
【００３２】
フレーム３は、図５に示したような積層構造を有する前方側の繊維強化樹脂層５を構成する複数枚のプリプレグ（積層材）５Ａと、後方側の繊維強化樹脂層６を構成する複数枚のプリプレグ（積層材）６Ａによって形成される。この場合、各層を構成しているプリプレグは、上述したように、炭素繊維やガラス繊維などの強化繊維が所定の方向に引き揃えられた状態、あるいは、編成されたシート状に構成されており、熱硬化性樹脂（例えば、エポキシ樹脂）や熱可塑性樹脂（例えば、ナイロン）をマトリックス樹脂として含浸した構成となっている。なお、フレーム３は、複数の繊維強化樹脂層によって構成されるが、上記した屈曲部が補強されるよう、補強層を含んでいても良い。
【００３３】
最初、上記したようなプリプレグを所定形状に裁断し、これを複数層となるように重ね合わせる。重ね合わせるプリプレグの枚数（層数）や、個々のプリプレグの構成については特に限定されることはないが、上記したように、フレーム３に屈曲部６ｅ，６ｆを形成すること、使用時においてフレーム３には負荷が加わること、装着される釣竿の特性や装着部分等を考慮し、プリプレグの種類や重ねる条件が任意に調整される。
【００３４】
このように複数枚積層された積層材５Ａ，６Ａは、図６に示すような金型５０にセットされる。本実施形態の金型５０は、上下に型割りされる上型５１と下型（底部型）５２によって構成されており、上型５１については、更に、左右に型割りされる左右型（前部型および後部型）５１ａ，５１ｂによって構成されている。この場合、下型５２には、一端面側がなだらかな湾曲傾斜面で他端面側が切り立った垂直面となる断面が略三角形状の山部５２ａが形成されており、山部５２ａの頂部５２ｂを境にして左右型５１ａ，５１ｂが左右方向に開くように構成されている。なお、金型５０は、少なくとも三方向金型（底部型５２、前部型５１ａ、後部型５１ｂ）を開いたり成形状態に閉じたりできる金型であり、したがって、金型５０の各部分は、ピンやコマを利用しても良く、三方向以上に金型５０の所定部分を開閉できればどのような構造であっても良い。三方向またはそれ以上に開閉するためのコマやピンの動きや構造は任意に設定可能である。
【００３５】
上記した積層材５Ａ，６Ａの金型に対するセット方法は特に限定されることはないが、例えば、山部５２ａの頂部５２ｂから上方側の領域を互いに面接するようにセットし（両積層材の一部を向かい合わせ状にして当接部とする）、かつ、その下方で、そのまま両積層材を下型５２の山部５２ａに沿ってセットする（これらの部分は釣竿固定部が形成される非当接部となる）。この場合、積層材５Ａ，６Ａについては、一度に全体を重ね合わせた状態でセットしても良いし、１枚ずつセットする等、複数回に分けて積層しても良い。このように複数回に分けることにより、強化繊維の動きを少なくして、精度良く所定位置にセットすることもできる。また、上型５１の左右型５１ａ，５１ｂと下型５２との間には、積層材５Ａ，６Ａがセットされる位置に応じて空洞部５５が形成されており、その表面領域には、離型剤がコーティングされている。
【００３６】
空洞部５５は、フレーム３の肉厚に対応しており、下型５２には、積層材５Ａ，６Ａを載置した際、上記した屈曲部６ｅ，６ｆに対応する位置に、屈曲形成凹部５２ｅが形成されている。また、左型５１ａには、屈曲形成凹部５２ｅに対応して屈曲形成凸部５１ｅが形成されている。さらに、下型５２と左型５１ａとの間には、釣竿固定部６ａが形成されるように、前記空洞部５５が形成されている。
【００３７】
なお、上記した金型については、一例を示したに過ぎず、型割りの方向については、左右方向としたり、傾斜方向にする等、任意の形態にすることが可能である。
【００３８】
上記したように、積層材５Ａ，６Ａを下型５２の所定位置にセットした後、積層材を加圧し固定する。この加圧、固定については、上型５１によって締め付けしても良いし、手や押圧具で押し付けても良い。この段階で、前記屈曲部を含め、成形後のフレーム形状に相当する形が保持され、これにより、成形後の内部残留応力の発生を防止でき、強度の向上、及び安定化が図れるようになる（この段階では、各プリプレグは未硬化状態（仮キュア後を含む）であり、屈曲部は加熱硬化前に形成されることとなる）。
【００３９】
その後、加熱工程を施し、マトリックス樹脂を硬化して成形した後、成形品（屈曲部を有する板状体３０となっている）を金型５０から取り出す。この板状体３０は、図７に示されるように形成され、前方側の繊維強化樹脂層と後方側の繊維強化樹脂層とが当接部８ａ，８ｂの領域で一体化された状態となっており、図１では、そのような両方の繊維強化樹脂層の中央部を表す部分が二点鎖線で示されている。
【００４０】
なお、上記した屈曲部を金型５０で押えて加熱硬化するときに、その屈曲部は、その前後の領域よりも相対的に強く加圧することが好ましい。このように、屈曲部の領域を強く加圧することで、成形されたフレームの屈曲部６ｅ，６ｆのボイドを防止することができ、強度の向上、及び安定化が図れるようになる。また、これに伴い、成形されたフレーム３の屈曲部６ｅ，６ｆは、その前後の領域（固定部や支脚部）よりも繊維比率を高くすることができるので、破損等しやすい屈曲部を強化することが可能となる。あるいは、屈曲部６ｅ，６ｆについては、その前後の領域よりも繊維比率を高くしておくことが好ましい。例えば、上記した工程で説明したように、加熱成形時に屈曲部の領域の押圧力を高くすることで、樹脂が流出して屈曲部の繊維比率を高くすることが可能であり、このように構成することで、負荷が作用してフレームが撓んでも破損し難い釣糸ガイドにすることが可能となる。
【００４１】
次に、板状体３０から所定の形状となるようにフレーム３を切り出す。上記したように、プリプレグは、加熱硬化処理後に屈曲部が形成された板状体となっているため、プレス加工による切り出し、液体（ウォータージェット等）による切り出し、或いは刃具（エンドミル等）による切り出し、または、不要部分を削除または破壊する切り出し等、任意の方法を採用することで、図７に示すように、１枚の板状体３０から複数のフレーム３を切り出すことが可能となり、軽量で高強度の釣糸ガイドを効率良く製造することが可能となる。
【００４２】
この加工時において、フレーム３の基本的な外形状、すなわち、開口５ｃ，６ｃを有する当接部８ａ，８ｂ、支脚部６ｂおよび釣竿固定部６ａ、保持穴８２等を同時に形成することが好ましいが、これらを別々の工程で形成しても良い。また、板状体３０に関しては、一枚の単純な平面形状に限らず、積層厚さを位置によって変化させたり、板状部分が複数方向に延びる形状（Ｔ字形状や逆Ｙ字形状等）としたり、曲面形状を含んでいたり、更には、軽量化を図るために開口を形成しても良い。
【００４３】
次に、必要に応じて細部加工を施す。この細部加工は、例えば、釣竿固定部６ａの形状を釣竿に載置し易いように曲面状に形成したり、糸巻き・糸止めし易いように、固定部の端部を研磨等することが該当する。
【００４４】
次に、フレーム３の表面処理を施す。例えば、バレル加工を施すことで、表面のバリを除去すると共に、表面の光沢が得られる程度に仕上げ研磨を施す。この研磨の程度については、釣糸ガイド１のサイズや形状、材質特性などによって研磨剤や研磨時間などを任意に調整することが可能である。このようなバレル加工を施すことにより、強化繊維を傷付けることなく、フレーム３を研磨することが可能となり、強度の安定化が図れると共に、外観の優れた釣糸ガイドとすることが可能となる。
【００４５】
なお、このような研磨工程を施すに際しては、フレーム３の表面に強化繊維が一部露出しマトリックス樹脂が一部残るように研磨することが好ましい。こうすることで、研磨表面の光沢をより一層向上することが可能となる。また、フレーム３の側面は複数の繊維強化樹脂層が面一になるように研磨する。
【００４６】
次に、必要に応じて、フレーム３の全体又は一部分に被膜を形成する。例えば、外観向上やフレーム本体の保護のために塗装を行なうことや、金属やセラミックスを蒸着等することも可能である。
【００４７】
そして、上記したように形成されたフレームの開口５ｃ，６ｃの部分にガイドリング９を取り付ける。ガイドリング９の取り付け方法は、圧入や接着、カーリング、その他、任意の固定方法を採用することが可能である。
【００４８】
以上説明したように、本実施形態の釣糸ガイド１では、フレームが該フレームから延びる竿挿入パイプを介して間接的に穂先竿杆の先端に保持固定されるのではなく、フレーム３がその保持穴８２によって直接に穂先竿杆の先端に保持固定されるようになっている。すなわち、本実施形態の釣糸ガイド１では、従来の竿挿入パイプが排除されているため、釣糸ガイド１全体の重量を減少させることができ、釣糸ガイド１の軽量化を飛躍的に促進させることができる。また、釣糸ガイド１のフレーム３が竿挿入パイプを介すことなく直接に釣竿と接続されるため、魚の当たりを竿の手元で感知する際の感度を大きく高めることができる。
【００４９】
また、上記したような製造方法によって形成される釣糸ガイド１によれば、強化繊維に合成樹脂を含浸して成る繊維強化樹脂層によって形成されるため、金属製のものと比較して、重量が軽くなり、更には、比強度、比剛性、及び撓み性に優れた構成とすることが可能となる。特に、穂先竿のような部分では、より軽量化が図れることから、繊細な当たりを感知し易くなり、より釣竿の性能の向上を図ることが可能となる。更に、繊維強化樹脂層（および、この層を形成する繊維）がリング保持部の少なくとも一部から支脚部の少なくとも一部へとわたって連続している（本実施形態では、後方側の繊維強化樹脂層６の繊維が（繊維強化樹脂層６自体も）釣竿固定部５ａから当接部８ｂへわたって（全長にわたって）連続して延びており、一方、前方側の繊維強化樹脂層５の繊維も（繊維強化樹脂層５自体も）全長にわたって連続して延びている）ため、釣糸ガイド１の高い強度を実現できる。
【００５０】
図８および図９は前述した実施形態の変形例を示している。図８に示されるように、本変形例では、後方側の繊維強化樹脂層６（固定部６ａおよび支脚部６ｂを含む）と前方側の繊維強化樹脂層５（当接部８ａ（前方側保持部）および竿保持部８０を含む）との間に、これらの全長にわたって連続する繊維強化樹脂層（少なくとも２つの繊維強化プリプレグ（例えば、一方が軸長方向繊維樹脂層、他方が斜向繊維樹脂層）を積層して成る繊維強化樹脂層）から成る補強片１００が設けられている。この補強片１００は、その層を形成する繊維が補強片１００の全長にわたって（後方側の繊維強化樹脂層６から前方側の繊維強化樹脂層５に至る全長にわたって連続して）延在しており、それにより、繊維強化樹脂層５，６同士の間の裂けを防止する。
【００５１】
したがって、本変形例では、フレーム３を成形するに際して、積層材５Ａ，６Ａを金型５０にセットするときに、図９に示されるように、補強片１００を後方側の繊維強化樹脂層６と前方側の繊維強化樹脂層５との間にこれらの全長にわたって配する。
【００５２】
なお、本発明は、前述した実施形態に限定されず、その要旨を逸脱しない範囲で種々変形して実施できる。例えば、釣竿の穂先竿杆の先端に保持固定されるようになっている保持穴の形状および寸法等は限定されない。また、釣糸ガイドを構成するフレームの積層形態や材料等も任意に設定できる。更に、支脚部の形態も前述した実施形態に限定されず、様々な形態を成すことができる。
【符号の説明】
【００５３】
１  釣糸ガイド
３  フレーム
６ａ  釣竿固定部
６ｂ，６ｂ  支脚部
６ｅ，６ｆ  屈曲部
６ｇ  分岐部
９  ガイドリング
８２  保持穴
Ｈ  リング保持部
【図１】
2015065911.tif 000003
【図２】
2015065911.tif 000004
【図３】
2015065911.tif 000005
【図４】
2015065911.tif 000006
【図５】
2015065911.tif 000007
【図６】
2015065911.tif 000008
【図７】
2015065911.tif 000009
【図８】
2015065911.tif 000010
【図９】
2015065911.tif 000011